(57)【要約】【課題】２つのマイクロフォンを用いてオーディオセットのスピーカ配置を特定する。【解決手段】  スピーカ５１，５２，５３，５４，５５と、これらスピーカに囲まれてできるリスニング環境内にマイクロフォン６ａ、６ｂからなるマイクセット６０を有するオーディオセット１において、オーディオセット１は、スピーカから発声された所定の測定音信号をマイクロフォン６ａ、６ｂで集音してマイクロフォンアンプ３４ａ、３４ｂで増幅し、測定部３３１ａ、３３１ｂでインパルス応答、ＦＦＴによる周波数解析処理等の各種信号処理を行う。スピーカ位置算出部３３３は、リスニング環境における１の位置と２の位置とにマイクセット６０を設置してスピーカの位置座標を算出し、制御部７においてこれらを比較してリスニング環境における各スピーカの位置座標を特定する。【選択図】図３
2007028437.tif 000002
【特許請求の範囲】
【請求項１】
再生環境内に配置される複数のスピーカの配置位置を測定する音場測定装置において、
上記複数のスピーカから出力される音声信号を集音する第１のマイクロフォンと、
上記第１のマイクロフォンと所定間隔をあけて配設され上記複数のスピーカから出力される音声信号を集音する第２のマイクロフォンと、
上記第１のマイクロフォンで集音された音声信号特性及び上記第２のマイクロフォンで集音された音声信号特性を測定する測定部と、
上記測定された音声信号特性を解析する特性解析部と、
上記解析された音声信号特性から各スピーカと上記第１のマイクロフォンとの距離及び各スピーカと第２のマイクロフォンとの距離を算出する距離算出部と、
上記再生環境内の第１のスピーカを原点とする座標系を設け該座標系上の上記第１、第２のマイクロフォンの位置座標及び上記各スピーカの位置座標を算出する座標算出部と、
上記位置算出部と上記座標算出部とを制御して距離算出と位置座標算出とを上記複数のスピーカの各々について実行する制御部とを備えることを特徴とする音場測定装置。
【請求項２】
上記座標算出部は、上記制御部からの指示に応じて複数スピーカのうち第１のスピーカに対して上記距離算出部で算出されたマイクロフォン−スピーカ間距離に基づいて、上記再生環境内における上記第１のスピーカを原点とする上記第１、第２のマイクロフォンで構成されるマイクロフォンセットの正方向座標として算出するとともに、上記再生環境内における上記マイクロフォンセットに対する第２のスピーカの位置候補を上記第１のスピーカを原点とする座標系で算出するマイク座標算出機能部を有することを特徴とする請求項１記載の音場測定装置。
【請求項３】
上記制御部は、上記測定部によって上記複数スピーカのうち第２のスピーカから出力される音声信号を上記再生環境内における１の位置に設置されたマイクロフォンセットで集音された音声信号から算出された上記第２のスピーカの位置座標候補と、上記第２のスピーカから出力される音声信号を上記再生環境内における２の位置に設置されたマイクロフォンセットで集音された音声信号から算出された上記第２のスピーカの位置座標候補とを比較して上記第２のスピーカの位置座標を特定することを特徴とする請求項２記載の音場測定装置。
【請求項４】
上記２の位置に配置された第１、第２のマイクロフォンは、上記１の位置に配置された第１、第２のマイクロフォンを結ぶ線上にないことを特徴とする請求項３記載の音場測定装置。
【請求項５】
上記１の位置と上記２の位置は、上記第１のスピーカと第１のマイクロフォンとの距離および上記第１のスピーカと第２のマイクロフォンとの距離が略等しいことを特徴とする請求項３記載の音場測定装置。
【請求項６】
再生環境内に配置される複数のスピーカの配置位置を測定する音場測定方法において、
上記複数のスピーカから出力される音声信号を第１のマイクロフォン及び該第１のマイクロフォンと所定間隔をあけて配設されてマイクロフォンセットを構成する第２のマイクロフォンとで集音する集音工程と、
上記第１のマイクロフォンで集音された音声信号特性及び上記第２のマイクロフォンで集音された音声信号特性を測定する測定工程と、
上記測定された音声信号特性を解析する特性解析工程と、
上記解析された音声信号特性から各スピーカと上記第１のマイクロフォンとの距離及び各スピーカと第２のマイクロフォンとの距離を算出する距離算出工程と、
上記再生環境内の第１のスピーカを原点とする座標系を設け該座標系上の上記マイクロフォンセットの位置座標及び上記各スピーカの位置座標を算出する座標算出工程とを有し、
上記座標算出工程は、複数のスピーカのうち第１のスピーカに対して上記距離算出工程で算出されたマイクロフォン−スピーカ間距離を上記再生環境内における上記第１のスピーカを原点とする上記マイクロフォンセットの正方向座標として算出するとともに上記再生環境内における上記マイクロフォンセットに対する第２のスピーカの位置候補を上記第１のスピーカを原点とする座標で算出し、
上記測定工程によって上記複数のスピーカのうち第２のスピーカから出力される音声信号を上記再生環境内における１の位置に設置されたマイクロフォンセットで集音された音声信号から算出される上記１の位置に設置されたマイクロフォンセット位置に対する上記第２のスピーカの位置座標候補と、上記第２のスピーカから出力される音声信号を上記再生環境内における２の位置に設置されたマイクロフォンセットで集音された音声信号から算出される上記２の位置に設置されたマイクロフォンセット位置に対する上記第２のスピーカの位置座標候補とを比較して上記第２のスピーカ位置座標を特定することを特徴とする音場測定方法。
【発明の詳細な説明】
【技術分野】
【０００１】
本発明は、例えばマルチチャンネルオーディオシステムを構成する出力手段としてのスピーカの実空間における位置関係を求めることができる音場測定装置及び音場測定方法に関する。
【背景技術】
【０００２】
ビデオデータ、音楽データ等の再生装置において臨場感や音質は、ユーザにとって善し悪しが比較的判断しやすい。例えば、ユーザがオーケストラ曲を聴くとき、仮想音場のなかで個々の楽器の位置が鮮明に感じられ、本物のオーケストラが眼前で演奏しているかのようなイメージが想起される音場が生成できることが好ましい。
【０００３】
例えば、再生音場の音像が虚音像として最適な場所に定位するようにＬ信号とＲ信号からなる２チャンネルステレオ信号の各信号チャンネルの音量バランスを調整し２つのスピーカから出力する２チャンネルステレオ方式、左右の２チャンネルスピーカの中央にセンタースピーカを加えた３チャンネルステレオ方式、そして更に後方スピーカを加えた５．１チャンネルステレオ方式等が存在する。
【０００４】
例えば、５．１チャンネルステレオ方式のようなマルチチャンネルのオーディオシステムでは、各スピーカから出力される音声信号は、現実的な音場を再現できるように各スピーカから出力される音声信号のパラメータが決定されているが、例えば、聴取者が聴取する位置での再生音声の音量バランスや音質は、リスニングルームの構造、スピーカに対する聴取者の位置等をはじめとする、いわゆるリスニング環境に応じて変化するため、聴取者が実際に感じる音場（音響）が録音時に構成された理想的な再生音場と異なることがあるという問題点があった。
【０００５】
この問題は、例えば、小部屋、自動車内のような小空間で顕著になる。自動車の室内では、聴取者の位置は、座席位置にほぼ限定されるため、スピーカと聴取位置の距離の偏りが大きくなる。そのため、スピーカから出力された音声信号の到達時間の時間差が生じて音場のバランスが大きく乱れる。特に、自動車の室内は、ほぼ密閉された状態にあるために反射音等が複雑に合成されて聴取者に到達し、聴取位置における再生音場を乱す要因にもなる。更に、小部屋や車内は、スピーカの取付位置も制限されるため、スピーカからの出力音が聴取者の耳に直接到達するようなスピーカ配置が実現できないときには、スピーカ配置による音質の変化も再現音場の劣化に大きく影響する。
【０００６】
そのため、聴取者が実際にオーディオシステムを使用するリスニング環境に応じて可能な限り本来の音場に近い再生音場がつくりだされるように出力音声信号に対して適切な音響補正を行うことが知られている。先ず、リスニング環境における音響特性を測定し、測定結果に基づいてオーディオセットの音声出力系に対して音響補正を施す信号処理のパラメータを設定する。そして、ここで設定されたパラメータにしたがって信号処理された音声信号をスピーカから出力することによって、リスニング環境に適合して補正された良好な音場が再現されるわけである。この音響補正としては、例えば、各チャンネルの信号がスピーカから出力されて音声信号が聴取者の聴取位置（耳の位置）にほぼ同時に到達するようにスピーカから聴取位置までの到達時間に応じて音声信号に与える遅延時間を補正すればよい。
【０００７】
音響特性の測定と、この測定結果に基づいた音響補正の一例としては、特許文献１にも開示されているような、音響補正装置を用いた次の手法が知られている。
【０００８】
先ず、オーディオセットを使用する空間、つまりリスニング空間において聴取者の耳の位置（リスニングポジション）に測定用マイクロフォンを配置する。そして、音響補正装置によってスピーカから測定音を出力し、この測定音をマイクロフォンで集音し、集音された音声信号の特性から各スピーカと聴取位置（マイクロフォンの設置位置、すなわち集音位置）との間の距離情報を算出する。距離情報に基づいて、各スピーカから聴取位置までの空間における音声の到達時間が得られるので、音響補正装置は、各スピーカの到達時間の情報を利用して各スピーカから放出された音声が聴取位置に到達するタイミングが一致するように、各スピーカに対応するチャンネルの音声信号の遅延時間を設定することができる。このように、聴取地点までの音声信号の到達時間、位相ずれを補正することを、一般にタイムアライメント調整ともいう。
【０００９】
【特許文献１】特開２０００−２６１９００号公報
【発明の開示】
【発明が解決しようとする課題】
【００１０】
上述した音場測定を行う際、１つのマイクロフォンであれば、リスニング環境における再生音声信号の周波数の局所的な状態（ピークやディップ）や、周波数の特性変化に対して特異的なパラメータの補正値を選択することができるが、複数のマイクロフォンを用いて同等の測定を行って、算出値を平均化等すれば、より柔軟な対応ができることは自明である。
【００１１】
上述したタイムアラインメントの調整方法では、リスニング環境における実際の再生音場を複数のマイクロフォンを使用してリスニング環境内の複数箇所で測定している。しかし、リスニング環境内の複数箇所で測定する場合、マイクロフォンの数が増えると測定が大がかりになるとともに、タイムアラインメントの基準をどこにするかを聴取者が選択しなければならないなど、聴取者にとってタイムアラインメントの調整操作は、煩雑で手間であった。
【００１２】
また上述の理由から、より少ない数のマイクロフォンでリスニング環境内の再生音場を測定したいという要求があるが、例えば２つのマイクロフォンを用いた場合、スピーカとマイクロフォンとの距離が既知なだけでは集音点に対するスピーカ位置が定まらない。
【００１３】
集音点に対するスピーカ位置の候補は、２つの集音点からそれぞれ等距離にある点が全て該当する。すなわち集音点を頂点とする円錐底面の外周上が全てスピーカ位置の候補になり得る。そのため、スピーカと２つの集音点を含む２次元平面に限定したとしても、該当箇所が必ず２箇所算出されてしまう。演算数値上では、この両者の位置関係を区別できないために、スピーカ位置を正確に特定することが困難であった。
【００１４】
そこで本発明は、上述した従来の実情に鑑みて提案されたものであり、通常、２つのマイクロフォンでは特定できないスピーカ位置を特定できる音場測定装置及び音場測定方法を提供することを目的とする。
【課題を解決するための手段】
【００１５】
上述した目的を達成するために、本発明に係る装置は、再生環境内に配置される複数のスピーカの配置位置を測定する音場測定装置において、複数のスピーカから出力される音声信号を集音する第１のマイクロフォンと、第１のマイクロフォンと所定間隔をあけて配設され複数のスピーカから出力される音声信号を集音する第２のマイクロフォンと、第１のマイクロフォンで集音された音声信号特性及び第２のマイクロフォンで集音された音声信号特性を測定する測定部と、測定された音声信号特性を解析する特性解析部と、解析された音声信号特性から各スピーカと第１のマイクロフォンとの距離及び各スピーカと第２のマイクロフォンとの距離を算出する距離算出部と、再生環境内の第１のスピーカを原点とする座標系を設け座標系上の第１、第２のマイクロフォンの位置座標及び各スピーカの位置座標を算出する座標算出部と、位置算出部と座標算出部とを制御して距離算出と位置座標算出とを複数のスピーカの各々について実行する制御部とを備えることにより、再生環境内に配置された複数のスピーカの位置を算出する。
【００１６】
座標算出部は、制御部からの指示に応じて複数スピーカのうち第１のスピーカに対して距離算出部で算出されたマイクロフォン−スピーカ間距離に基づいて、再生環境内における第１のスピーカを原点とする第１、第２のマイクロフォンで構成されるマイクロフォンセットの正方向座標として算出するとともに、再生環境内におけるマイクロフォンセットに対する第２のスピーカの位置候補を第１のスピーカを原点とする座標系で算出するマイク座標算出機能部を有する。
【００１７】
また、制御部は、測定部によって複数スピーカのうち第２のスピーカから出力される音声信号を再生環境内における１の位置に設置されたマイクロフォンセットで集音された音声信号から算出された第２のスピーカの位置座標候補と、第２のスピーカから出力される音声信号を再生環境内における２の位置に設置されたマイクロフォンセットで集音された音声信号から算出された第２のスピーカの位置座標候補とを比較して第２のスピーカの位置座標を特定する。
【００１８】
２の位置と１の位置とは、第１、第２のマイクロフォンを結ぶ線上にないことが重要であり、１の位置と２の位置における配置は、第１のスピーカと第１のマイクロフォンとの距離および第１のスピーカと第２のマイクロフォンとの距離が略等しい配置でもよい。
【発明の効果】
【００１９】
本発明によれば、リスニング環境における実際の再生音場を２つのマイクロフォンを使用して測定するとき、リスニング環境におけるスピーカ位置を正確に特定することができる。
【発明を実施するための最良の形態】
【００２０】
以下、本発明の具体例として示す音場測定装置について図面を用いて詳細に説明する。具体例として示す音場測定装置は、複数のスピーカが接続され各スピーカから出力される音声信号により録音時の音場をより現実的に再現することができる、いわゆるマルチチャンネル方式に対応したオーディオセットに搭載され、より現実的な音場を生成するために元の音声信号に対して与える音場パラメータ等の解析に必要な各スピーカの位置情報を正確に測定できるようにしたものである。
【００２１】
図１は、本発明に係る音場測定装置を適用したオーディオセット全体の構成例を示している。
【００２２】
図１に示すオーディオセット１は、記録媒体（以下、メディアという。）に記録された音楽コンテンツのデータを読み出すメディア再生部２と、再生された元のマルチチャンネルオーディオ信号の特性を変更する音場補正機能及びマイクロフォン６ａ、６ｂが集音した信号を測定する機能を有する音場補正ユニット３と、補正されたマルチチャンネルオーディオ信号のそれぞれを増幅して各種スピーカ５１〜５ｎに供給するパワーアンプ部４とを備え、更に各スピーカから出力された音声信号でつくられる音場を測定する２つのマイクロフォン６ａ、６ｂを備えることを特徴とする。また、オーディオセット１は、メモリ部８を備え、音場補正ユニット３において音場を補正する処理、及びスピーカからの出力信号をマイクロフォン６ａ、６ｂの集音信号により測定する処理を実行するプログラム、またその処理に必要な情報が格納されている。メモリ部８としては、例えば、フラッシュメモリ等をはじめとした不揮発性かつ書換可能なメモリ素子が適用できる。上述した各部は、制御部７により統括制御されている。
【００２３】
メディア再生部２は、メディアに記録された音声コンテンツのデータを読み出す。メディア再生部２で再生可能なメディアの種別、記録フォーマット等については特に限定されないが、一例としてＣＤ（Compact Disc）、ＤＶＤ（Digital Versatile Disc）をあげることができる。
【００２４】
現状のＤＶＤフォーマットでは、オーディオデータは、ＤＶＤ規格に準拠したＤＶＤ  Ａｕｄｉｏ、ＡＣ３（Audio Code Number 3）等の方式にしたがって圧縮符号化されている。したがって、メディア再生部２は、圧縮符号化されたオーディオデータをデコード処理するデコーダも含まれる。
【００２５】
なお、メディア再生部２は、ＤＶＤとオーディオＣＤの両者が再生可能な、いわゆるコンボドライブであってもよい。また、オーディオ信号の入力先は、メディア再生部２で再生可能なメディアのみならず、テレビジョン放送等を受信復調してビデオ信号及びオーディオ信号を出力するテレビジョンチューナであってもよい。また、有線ＬＡＮ及び無線ＬＡＮ、ネットワーク、またこのようなネットワークが互いに接続されてなる、いわゆるインターネット等の大規模ネットワークを介してオーディオ信号を供給するサーバ装置であってもよい。更には、ハードディスク等の大容量記録媒体であってもよい。更に、メディア再生部２は、上述したメディア再生のための構成、テレビジョンチューナ、ネットワーク接続のための構成、ＨＤＤ等を併せもっていてもよい。
【００２６】
メディア再生部２がマルチオーディオチャンネルに対応する場合、このメディア再生部２によって読み出されたオーディオ信号は、オーディオチャンネル毎に対応した複数系統の信号ラインで出力される。本具体例では、オーディオセット１は、５．１チャンネルサラウンド方式に対応しており、メディア再生部２は、最大で、センターチャンネル（Ｃ）、フロント左チャンネル（ＦＬ）、フロント右チャンネル（ＦＲ）、左サラウンドチャンネル（ＢＬ）、右サラウンドチャンネル（ＢＲ）及びサブウーファチャンネル（ＳＷ）に対応するスピーカに対して６系統のオーディオ信号を出力する。メディア再生部２で再生されたオーディオ信号は、音場補正ユニット３の測定機能部と音場補正機能部とで音響特性が補正された信号としてパワーアンプ部４に対して入力される。音場補正ユニット３の詳細については後述する。
【００２７】
パワーアンプ部４は、入力されたオーディオ信号を増幅してスピーカを駆動するためのドライブ信号を出力する。ここではパワーアンプ部４は、オーディオセット１が対応するチャンネル構成に応じた数の回路系を備え、オーディオ信号を各増幅回路によってチャンネル毎に増幅し、例えば、上述したようなリスニング環境においてしかるべき位置に配置されたセンターチャンネル（Ｃ）、フロント左チャンネル（ＦＬ）、フロント右チャンネル（ＦＲ）、左サラウンドチャンネル（ＢＬ）、右サラウンドチャンネル（ＢＲ）、サブウーファチャンネル（ＳＷ）に対応するスピーカにドライブ信号を出力する。このマルチチャンネル構成によって、オーディオセット１は、音楽コンテンツが録音されたときのレコーディング環境を現在のリスニング環境に再現することができる。
【００２８】
スピーカ５は、チャンネル数に対応した数だけ接続することができ、本具体例では５．１チャンネルサラウンド方式であるので、チャンネル毎に合計６つのスピーカが接続される。また、７．１チャンネルサラウンド方式に対応していれば、各チャンネルに対応する８つのスピーカが接続可能である。オーディオセット１におけるスピーカ及びマイクロフォンの配置について図２を用いて説明する。
【００２９】
図２は、５．１チャンネルサラウンド方式に対応したオーディオセットにおける典型的なスピーカ配置を示している。本具体例では、説明の便宜上、スピーカの発音中心とマイクロフォンの集音中心とが同じ高さ（同一平面上）に設置されているものとし、２次元平面における配置位置の特定手法として説明するが、３次元空間においても同様の手法でスピーカ位置を特定することが可能であり、これも本発明に含まれるとする。３次元空間に適用する場合は後段で説明する。
【００３０】
図２に示すスピーカ５１はセンターチャンネル（Ｃ）、スピーカ５２はフロント左チャンネル（ＦＬ）、スピーカ５３はフロント右チャンネル（ＦＲ）、スピーカ５４は左サラウンドチャンネル（ＢＬ）、スピーカ５５は右サラウンドチャンネル（ＢＲ）に、それぞれ対応している。また、オーディオセット１は、図２に示さないサブウーファチャンネル（ＳＷ）用のスピーカを備えており、メディア再生部２は、これら６チャンネルに対応する６系統のオーディオ信号を出力する。
【００３１】
図２のように配置されたスピーカから出力された音声信号により、スピーカに囲まれる領域に音場が生成される。このオーディオセット１を使用するリスニング環境としては、例えば、自動車内、小室内等があげられる。
【００３２】
マイクロフォン６ａ、６ｂは、リスニング環境に生成される音場を測定する際、所定の測定音を集音する手段であって、マイクロフォン６ａとマイクロフォン６ｂは、複数のスピーカのうちの１スピーカを基準としたとき、基準としたスピーカから略等距離に設置されることが好ましい。本具体例では、マイクロフォン６ａとマイクロフォン６ｂは、リスニング環境内で両者の設置位置による特性差が現れない程度の間隔、例えば２０ｃｍの間隔をあけて互いに固定され、マイクセット６０とされている。マイクロフォン６ａ、６ｂで集音された音声信号は、音場補正ユニット３に入力される。
【００３３】
制御部７は、ＣＰＵ（Central Processing Unit）、ＲＯＭ、ＲＡＭ等からなるマイクロコンピュータを備え、図１に示すオーディオセット１を構成する各部、或いは各種機能部位に対する制御並びに各種処理を実行している。また、制御部７は、ユーザからの操作選択を受け付けるためのユーザインターフェイス部９が接続されていてもよい。
【００３４】
続いて、図３を用いて音場補正ユニット３の内部構成について詳細に説明する。
【００３５】
音場補正ユニット３は、音場を補正する機能とスピーカの出力音声を測定する機能とを備えた音場補正／測定機能部３１を備えている。音場補正／測定機能部３１は、元の音声信号の特性を補正する処理を行う音場補正処理ブロック３２と、より現実的な音場を生成するために元の音声信号に対して与えるパラメータ等の解析に必要な音声特性情報を測定する測定処理ブロック３３とを備えている。
【００３６】
また、音場補正／測定機能部３１は、マイクロフォン６ａから入力された音声信号を増幅するマイクロフォンアンプ３４ａと、マイクロフォン６ｂから入力された音声信号を増幅するマイクロフォンアンプ３４ｂとを備え、マイクロフォンアンプ３４ａ、３４ｂで増幅された測定信号は、測定処理ブロック３３に送られて測定処理が行われる。
【００３７】
音場補正処理ブロック３２は、測定結果に基づいて音場補正のための処理を行い所定のパラメータ値を変更する。スイッチ３５は、測定モードと音場補正モードとを切り換えるために設けられている。このスイッチ３５は、端子Ｔｍ１に対して端子Ｔｍ２又はＴｍ３が択一的に接続されるようにして切り換えが行われる。切り換えは、制御部７によって制御されている。
【００３８】
測定処理ブロック３３は、更に測定部３３１ａ、３３１ｂと、測定音処理部３３２と、スピーカ位置算出部３３３とを備えている。測定音処理部３３２は、測定用の音声信号を生成し出力する。以下では、測定用の音声信号を測定音信号という。測定音信号は、オーディオセット１の制御部７を構成するＣＰＵ（Central Processing Unit）、または図示しないＤＳＰ（Digital Signal Processor）等で作成された特殊な信号音である。そのため、マイクロフォン６ａ、６ｂで同時に集音された測定音信号の特性と、作成時の信号特性との特性差がＤＳＰ又はＣＰＵで解析できる。なお、図３では、図示の便宜上、測定音処理部３３２からの信号出力ラインを１本として示しているが、現実にはチャンネル数に対応する数の測定音の信号出力ラインがある。また、予め作成された測定音信号をメモリ部８または測定音処理部３３２内の記憶メディアに記録しておき、測定時にその測定音信号を読み出すようにしてもよい。
【００３９】
測定処理ブロック３３における測定音処理部３３２から出力された測定音信号は、スイッチ３５（Ｔｍ２→Ｔｍ１）を経由してパワーアンプ部４に入力され、ここで増幅されてスピーカ５１〜５６から出力される。測定音処理部３３２が同時に複数のチャンネルに対して測定音（音素）の音声信号を出力しているときには、パワーアンプ部４は、これらのチャンネル毎に対する個々の測定音信号の各々を増幅し、対応するチャンネルのスピーカから出力させる。
【００４０】
スピーカから放音された所定の測定音信号は、マイクロフォン６ａ、６ｂで集音されてマイクロフォンアンプ３４ａ、３４ｂに入力される。マイクロフォン６ａ、６ｂは、そのリスニング環境において最も良好な補正音場を得たいとするリスニングポジション（補正位置）で集音できるように設置する。例えば、図２に示したように、リスニング環境の略中央であってもよいし、オーディオセット１が車載機器であった場合、ユーザが運転席で聴取しているときに最適な音場が得られるように、ユーザが運転席に着座したときの耳の位置にマイクロフォン６ａ、６ｂを設置し、この位置で集音される音声特性を解析すればよい。
【００４１】
測定音を含む周囲の環境音は、マイクロフォン６ａ、６ｂによって集音されてマイクロフォンアンプ３４ａ、３４ｂで増幅され、測定処理ブロック３３の測定部３３１ａ、３３１ｂに入力される。測定部３３１ａ、３３１ｂは、入力された音声信号をＡ／Ｄ変換し、得られた信号について、インパルス応答、ＦＦＴによる周波数解析処理等の各種信号処理を行う。これらの処理結果として、各チャンネルのスピーカからマイクロフォン６ａ、６ｂの設置位置までの距離等の情報のほか、音場生成に必要となる項目についての測定結果が得られる。
【００４２】
スピーカ位置算出部３３３は、測定部３３１ａ、３３１ｂで測定された測定結果からリスニング環境における各スピーカの位置座標を特定する処理を実行している。
【００４３】
ここで、測定処理ブロック３３による測定処理の具体例として、オーディオセット１が、配置された各スピーカと聴取位置、すなわちマイクロフォン６ａ、６ｂとの距離を測定するための構成並びに動作について説明する。
【００４４】
オーディオセット１においてリスニング環境に配置されたスピーカと聴取位置との距離は、オーディオチャンネルに対応するスピーカ毎の聴取位置までの到達時間に基づく情報で表すことができる。つまり、スピーカから聴取位置までの距離情報は、音波の伝播速度（音速）を用いてその距離によって生じる時間差に換算することができ、この遅延時間情報を音場補正処理ブロック３２のディレイ処理部３２１における係数として使用することができる。スピーカから聴取位置までの距離によって生じる到達時間差をスピーカからの発生時に与える時間遅延量で補正することをタイムアライメントということがある。リスニング環境における聴取点でより臨場感のある音場を生成するには、その点におけるタイムアラインメントを調整する必要がある。
【００４５】
各スピーカから聴取位置までの距離の測定方法としては、次のような方法があげられる。先ず、オーディオセット１に設けられた複数のスピーカのうち１スピーカ毎、順番に測定していく。スピーカ５１から測定音信号が出力される。測定音信号としては、所定の周波数帯域特性を有するＴＳＰ（Time Stretched Pulse）信号を用いることができる。ＴＳＰ信号は、測定音処理部３３２で生成されて、聴取位置（すなわち補正位置）に対応して設置されたマイクロフォン６ａ、６ｂで集音される。マイクロフォンアンプ３４ａ、３４ｂを介して測定部３３１に入力される。測定部３３１ａ、３３１ｂは、入力された音声信号の波形から所定のサンプル数単位で抽出したサンプリングデータを得る。このサンプリングデータをＴＳＰ信号によって周波数軸上で除算し、更に時間軸上に逆ＦＦＴ演算したものが、いわゆるインパルス応答である。測定部３３１ａ、３３１ｂは、このインパルス応答に基づいて、所定の信号処理又は測定のための演算処理等を実行することにより、スピーカから聴取位置までの距離情報を得ることができる。
【００４６】
スピーカ位置算出部３３３は、マイクロフォン６ａから入力した音声信号で求まるインパルス応答から得られる特性情報とマイクロフォン６ｂから入力した音声信号で求まるインパルス応答から得られる特性情報とからリスニング環境におけるスピーカの位置座標を特定する処理を行う。
【００４７】
スピーカ位置算出部３３３により、リスニング環境におけるスピーカの位置座標が特定された後は、特定された各スピーカの位置からスピーカとマイクロフォン６ａ、６ｂとの間のより厳密な距離情報と位置情報が得ることができ、より厳密な音場をリスニング環境内につくりだすための音声信号を生成することができる。
【００４８】
以下、インパルス応答を用いたスピーカとマイクロフォンとの距離の測定ついて説明する。図４は、測定処理ブロック３３の測定部３３１において、測定音処理部３３２で生成された測定音信号とマイクロフォン６ａ、６ｂからの音声信号から求められたインパルス応答を入力してスピーカとマイクロフォン（聴取位置）との距離を測定するための処理構成を示している。図４に示す構成による処理の流れについて、図５〜図８を参照して説明する。
【００４９】
測定部３３１ａ、３３１ｂには、マイクロフォンアンプ３４ａ、３４ｂを介してマイクロフォン音声信号が供給される。図４に示すように、供給されたマイクロフォン音声信号は、Ａ／Ｄ変換器２０１でデジタル信号に変換され、インパルス応答演算部２０２に供給される。また、インパルス応答演算部２０２には、測定音処理部３３２で生成されて、ユーザの聴取位置に対応して設置されたマイクロフォン６ａ、６ｂで集音されたＴＳＰ信号が供給されている。インパルス応答演算部２０２は、供給された音声信号の波形から所定のサンプル数単位で抽出したサンプリングデータを得て、このサンプリングデータをＴＳＰ信号によって周波数軸上で除算し、更に時間軸上に逆ＦＦＴ演算してインパルス応答を算出する。インパルス応答演算部２０２は、算出したインパルス応答を自乗処理部２０３及び周波数解析／フィルタ特性決定部２０４に供給する。
【００５０】
図５（ａ）には、測定部３３１ａ、３３１ｂに入力されたマイクロフォン６ａ、６ｂの音声信号から求められ、サンプリング波形データであるインパルス応答の原波形が示されている。図５（ａ）の横軸はサンプル数を示し、縦軸は振幅レベルを示す。また、インパルス応答原波形の周波数特性が図７に示されている。図５（ａ）に示されるインパルス応答の原波形は、４０９６サンプルによるサンプリング処理を行って得られた。サンプル数４０９６は、２の１２乗で表されるもので、例えばＦＦＴ（Fast Fourier Transform）等による周波数解析処理に好適なサンプル数が２のべき乗であることを踏まえて設定されたものである。また、サンプリング周波数ｆｓ＝４８ｋＨｚとする。
【００５１】
また、マイクロフォンからの音声信号のサンプリングタイミングとして、サンプル開始時点、即ち、サンプルポイント０となるタイミングは、測定音処理部３３２から測定音信号を出力開始させた時点と一致させている。すなわち、マイクロフォン６ａ、６ｂで集音される音声信号、或いは集音される全ての音声信号のサンプリングタイミングは、スピーカからの音声出力を開始したとされる時点と一致させている。なお、インパルス応答は文字通りインパルス信号に対する系の時間応答であるので、インパルス応答の測定に使用する測定音信号を便宜上インパルス信号という場合がある。
【００５２】
図５（ａ）に示されるインパルス応答原波形の立ち上がり位置をサンプルポイント方向（横軸方向）に拡大した波形を図５（ｂ）に示す。図５（ａ）、（ｂ）に示されるインパルス応答の原波形のサンプルデータは、図４に示す自乗処理部２０３に対して入力されるとともに、分岐して周波数解析／フィルタ特性決定部２０４に対しても入力される。
【００５３】
自乗処理部２０３は、インパルス応答の振幅値について自乗処理を行う。これにより、本来、正／負の両極の振幅値を有するインパルス応答の波形データは、図６（ａ）に示すように自乗され、負極の振幅値が反転して折り返され正極の振幅値になる。スピーカが逆相接続された場合、つまり正極の信号を与えたときにスピーカ振動板が引っ込むような動作をする場合や、マルチウェイ・スピーカにおいて低音スピーカと高音スピーカが逆相接続されている場合などでは、このインパルス応答の最初の立ち上がり部分が負極に向かっていることがある。このため、本実施例では自乗処理を行い、正相／逆相接続いずれであっても対応できるようにしている。これにより、この後の処理では負極の振幅値も正極の振幅値と同極性の振幅として扱えるようになり、後述するインパルス応答振幅値の計測を行う際に正極レベルを対象とする測定のみを実行すればよくなる。図６（ａ）に示すインパルス応答原波形の立ち上がり位置をサンプルポイント方向（横軸方向）に拡大した波形を図６（ｂ）に示す。
【００５４】
このサンプルデータは、可変ローパスフィルタ２０５に送られる。可変ローパスフィルタ２０５は、自乗処理部２０３の出力である自乗系列によるインパルス応答のサンプルデータを受け取る。可変ローパスフィルタ２０５は、自乗処理されたインパルス応答のサンプルデータ（自乗波形）についてノイズとして扱うべき高域成分を除去して、測定対象に好適な包絡波形（エンベロープ）を得るために設けられる。但し、フィルタ特性によってはインパルス応答の立ち上がりも含めて包絡波形全体が平滑になり過ぎることがある。そのため、ここに設けるフィルタは、インパルス応答の周波数特性に適応的に変更可能な可変ローパスフィルタとする。
【００５５】
周波数解析／フィルタ特性決定部２０４は、入力されたインパルス応答の原波形のサンプリングデータを、例えばＦＦＴにより周波数解析する。もちろん、インパルス応答を求める前段階として逆ＦＦＴ演算を行っているので、逆ＦＦＴ演算前のスペクトルデータをそのまま利用しても良い。そして、周波数解析により得られた周波数特性（周波数応答）に基づいて、中域周波数帯域と高域周波数帯域との振幅値のバランスを判定し、判定結果に応じて可変ローパスフィルタ２０５のフィルタ特性を適宜最適値に決定している。
【００５６】
可変ローパスフィルタ２０５を通過した信号波形を図８に示す。図８に示されたエンベロープのサンプルデータは、遅延サンプル数判定部２０６と閾値設定処理部２０７のそれぞれに入力される。閾値設定処理部２０７は、図８に示されるローパスフィルタ処理波形のサンプルデータから、ピークレベルＰｋを求め、このピークレベルＰｋに対する所定比率によって求まる振幅のレベル値を閾値ｔｈとして設定する。閾値設定処理部２０７は、設定した閾値ｔｈを遅延サンプル数判定部２０６に通知する。
【００５７】
遅延サンプル数判定部２０６は、図８に示したローパスフィルタで処理された信号波形のサンプルデータの振幅値と通知された閾値ｔｈとを比較して、サンプルポイント０を起点として最初にローパスフィルタ処理波形が閾値ｔｈ以上となったサンプルポイントを検出する。図８には、この検出されたサンプルポイントが遅延サンプルポイントＰＤとして示されている。遅延サンプルポイントＰＤは、スピーカからのインパルス信号の音声出力開始時点に対応するサンプルポイント０を起点として、インパルス応答が立ち上がったとされる時点までの時間的遅延をサンプル数で表すものである。周波数解析／フィルタ特性決定部２０４の制御によって適切なフィルタ特性が設定された可変ローパスフィルタ２０５によって、誤差を生じることなく、高精度で遅延サンプルポイントＰＤが検出される。
【００５８】
上述のように遅延サンプル数判定部２０６により判定された遅延サンプルポイントＰＤの情報は、空間遅延サンプル数算出部２０８に通知される。遅延サンプルポイントＰＤは、スピーカからのインパルス信号の音声出力開始時点を起点として、このインパルス信号の音声をマイクロフォンにより集音して得られたインパルス応答が立ち上がったとされる時点までの時間的遅延をサンプル数により表現している。つまり、スピーカ−マイクロフォン間距離を時間的に表したものと捉えることができる。
【００５９】
しかしながら、現実にはスピーカからインパルス信号を出力させるための信号出力系と、マイクロフォンでスピーカから出力された音声を集音してインパルス応答原波形のサンプルデータを得るためのサンプリングを行うまでの信号入力系とでは、フィルタ遅延、Ａ／Ｄ若しくはＤ／Ａ変換処理等に起因する処理遅延等といった、いわゆるシステム遅延が存在する。そして、遅延サンプル数判定部２０６により判定された遅延サンプルポイントＰＤは、システム遅延等を要因とする誤差を含んでいる。これらの誤差要因となるシステム遅延は予め計測しておき、測定処理ブロック３３が備える記憶メディアなどに記録しておく。そのため、空間遅延サンプル数算出部２０８は、遅延サンプルポイントＰＤからシステム遅延等を要因とする誤差を減算することでスピーカ−マイクロフォン（聴取位置）間距離に対応する真の遅延サンプル数（以下、空間遅延サンプル数という。）を得ている。空間遅延サンプル数算出部２０８で得られた空間遅延サンプル数の情報は、距離算出部２０９に通知される。
【００６０】
距離算出部２０９は、通知された空間遅延サンプル数を時間換算する。そして、この時間換算した空間遅延サンプル数の情報と音速を示す値等を利用し、所定の演算式を用いてスピーカ−マイクロフォン間距離を算出する。算出されたスピーカ−マイクロフォン間距離の情報は、測定対象であるスピーカと、このスピーカで出力されるチャンネルのオーディオチャンネルとの対応付けが行われたうえで制御部７に設けられた不揮発メモリ等に保持される。
【００６１】
制御部７は、各オーディオチャンネルのスピーカ−マイクロフォン間距離の差に基づいて、この距離差に応じた各オーディオチャンネルのスピーカから聴取位置までの空間的な音声到達時間差を判定する。そして、この判定結果に基づき、オーディオチャンネルに対応する各スピーカから聴取位置に到達する音声の時間差が解消されるように、ディレイ処理部３２１において、各オーディオチャンネルに所定の遅延定数を設定する制御を行っている。ディレイ処理部３２１は、制御部７によって設定された各オーディオ信号に対する遅延処理を実行する。その結果、しかるべき聴取位置においてスピーカと聴取位置の距離の差に起因する音声の到達時間のばらつきがキャンセルされた音場が生成される。すなわち、聴取位置においてタイムアライメントが適正に補正された音場が生成される。
【００６２】
続いて、以上説明した音場測定処理及び音場生成処理において、リスニング環境におけるスピーカ位置を特定する具体的な手法について図９〜図１７を参照して説明する。図９及び図１０は、マイクロフォンと音源であるスピーカとの間の距離と位置関係とを説明している。
【００６３】
本具体例のリスニング環境は、自動車内或いは小室内であって、マイクロフォン６ａと６ｂとがスピーカからそれほど離れていない位置に設置される場合であるため、スピーカとマイクロフォンの位置関係に対して、例えば、壁による定在波や反射等といったリスニング環境内の状態による集音特性差は微小であると仮定できる。具体的には、スピーカから発音されたインパルス信号がマイクロフォンに到達し、その後、最初の反射音がマイクロフォンに入射する前にマイクロフォン信号の取り込みを終えるような時間長（上述例では４０９６ポイント）にサンプル数を設定すればよい。そして更にマイクロフォン６ａとマイクロフォン６ｂは、リスニング環境内で設置位置による特性差が現れない程度の間隔をもって互いに固定されている。
【００６４】
マイクセット６０の中心、つまりマイクロフォン６ａ、６ｂの中間点を座標原点としたとき、センターチャンネル（Ｃ）に対応するスピーカが設置される方向をマイクセット６０の正方向とし、座標軸の正方向とする。例えば、上述した手法によってマイクロフォン６ａ、６ｂと各スピーカとの距離Ｌ０、Ｌ１が求められたとしても、実際は図９に示すように、設置されたスピーカ位置がマイクセット６０の前方位置Ｐｆ、後方位置Ｐｂの何れに配置されているかを特定することはできない。
【００６５】
また、図１０に示すように、マイクセット６０に対するスピーカの位置は、原点からの距離Ｌと角度φをもつベクトルで表現することができるが、マイクセット６０に対するスピーカの方向は、全てのスピーカが同一の２次元平面上（例えば、水平面内）にあると仮定したとしても、条件に合致する箇所が必ず２箇所算出されるため、やはりこれらを特定することができない。
【００６６】
そこで、本発明の具体例として示すオーディオセット１では、複数のスピーカのうち何れか１つのスピーカに対して、マイクロフォンとこのスピーカとの間の距離の絶対値を、再生環境内におけるこのスピーカを原点としたとき、このスピーカに対するマイクロフォンセットのマイク中心の正方向座標を算出し、再生環境内におけるマイクロフォンセットに対する原点としたスピーカ（第１のスピーカ）とは別のスピーカ（第２のスピーカ）の位置候補を原点スピーカの座標系で算出することを特徴としている。
【００６７】
また、オーディオセット１は、複数スピーカのうち、第２のスピーカから出力される音声信号をリスニング環境内における任意位置（１の位置）に設置されたマイクロフォンセットで集音された音声信号から算出された第２のスピーカの位置座標候補と、第２のスピーカから出力される音声信号をリスニング環境内において任意位置とは異なる位置（２の位置）に設置されたマイクロフォンセットで集音された音声信号から算出された第２のスピーカの位置座標候補とを比較して第２のスピーカの位置座標を特定することを特徴としている。
【００６８】
上述したようにオーディオセット１は、５．１チャンネルサラウンド方式に対応しているので、チャンネル毎に用意されたスピーカ５１，５２，５３，５４，５５（但し、サブウーファチャンネルは図示していない。）は、これらのマルチチャンネルスピーカで囲まれた内側に位置する聴取者に向けられ、通常はその振動面を聴取者に向けて配置されているものとする。スピーカによっては、その振動面が上方又は聴取者への向きとは異なる方向に向いているものもあるが、その向きについては限定されない。また、各スピーカは、後述する一連のスピーカ位置算出処理の間、固定され測定中に移動されないことを前提としている。
【００６９】
以下、図面を参照して、スピーカ位置算出処理について説明する。この具体例では、マイクセット６０は、リスニング環境内においてセンタースピーカ５１がある方向にその正方向が向くように配置する。つまりマイクロフォン６ａ、６ｂがセンタースピーカ５１に対しておおよそ等距離になるように配置する。マイクセット６０に対して、図２で示すセンターチャンネル（Ｃ）を出力するセンタースピーカ５１が設置された方向を前方向（正方向）とし、センタースピーカ５１の位置座標をリスニング環境内における原点座標Ｓ０（０，０）とすると、はじめに任意の位置に配置されたマイクセット６０の位置座標は、センタースピーカ５１を基準として一意に求めることができる。
【００７０】
スピーカ位置算出部３３３は、制御部７からの指示に応じて複数のスピーカのうち、センタースピーカ５１に対して距離算出部２０９で算出されたマイクロフォン−スピーカ間距離の絶対値を求める。このときスピーカ位置算出部３３３は、マイクセット６０の位置座標を、センタースピーカ５１を原点とした正方向座標として算出する。このとき、図１１に示すように、センタースピーカ５１、すなわち座標原点に対するマイクセット６０の中心位置の座標Ｓｍ１（Ｐｍｘ１，Ｐｍｙ１）が算出される。つまり、センタースピーカ５１とマイクロフォン６ａ、６ｂとの距離が測定されると、図９、図１０のように２ヶ所の候補点が算出されるが、マイクセット６０の正方向にセンタースピーカ５１があるように設置しているので、２ヶ所の候補点のうち正方向に存在する候補点にセンタースピーカ５１が配置されていると判断する。なお、図１１などにおける座標平面中の四角枠は、リスニング環境の範囲を示しており、例えば、部屋の壁を示している。
【００７１】
続いて、制御部７は、リスニング環境内においてマイクセット６０に対する第２のスピーカの位置候補を、センタースピーカ５１を原点とする座標系で算出する。測定部３３１及びスピーカ位置算出部３３３は、複数スピーカのうち第２のスピーカから出力される音声信号をリスニング環境内における座標Ｓｍ１（Ｐｍｘ１，Ｐｍｙ１）に位置するマイクセット６０で集音された音声信号から第２のスピーカ位置座標候補を算出する。このとき、第２のスピーカの位置座標候補として、座標Ｓａ１ｆ（Ｐｌｘ１ｆ，Ｐｌｙ１ｆ）、Ｓａ１ｂ（Ｐｌｘ１ｂ，Ｐｌｙ１ｂ）が算出される。
【００７２】
続いて、最初に配置された任意位置とは異なる位置にマイクセット６０を移動する。移動後のマイクセット６０の位置座標は、上述の場合と同様にセンタースピーカ５１を基準として一意に求められる。すなわち、スピーカ位置算出部３３３は、制御部７からの指示に応じてセンタースピーカ５１に対して距離算出部２０９で算出されたマイクロフォン−スピーカ間距離の絶対値を求める。このときスピーカ位置算出部３３３は、マイクセット６０の位置座標を、センタースピーカ５１を原点とした正方向座標として算出する。このとき、図１２に示すように、センタースピーカ５１、すなわち座標原点に対するマイクセット６０の中心位置の座標Ｓｍ２（Ｐｍｘ２，Ｐｍｙ２）が算出される。
【００７３】
制御部７は、リスニング環境内においてマイクセット６０に対する第２のスピーカの位置候補を、センタースピーカ５１を原点とする座標系で算出する。すなわち、測定部３３１及びスピーカ位置算出部３３３は、複数スピーカのうち第２のスピーカから出力される音声信号をリスニング環境内における座標Ｓｍ２（Ｐｍｘ２，Ｐｍｙ２）に位置するマイクセット６０で集音された音声信号から第２のスピーカ位置座標候補を算出する。このとき、第２のスピーカの位置座標候補として、座標Ｓａ２ｆ（Ｐｌｘ２ｆ，Ｐｌｙ２ｆ）、Ｓａ２ｂ（Ｐｌｘ２ｂ，Ｐｌｙ２ｂ）が算出される。
【００７４】
そして、制御部７は、マイクセット６０の中心座標Ｓｍ２（Ｐｍｘ２，Ｐｍｙ２）に位置するときに算出された第２のスピーカの位置座標候補と、中心座標Ｓｍ１（Ｐｍｘ１，Ｐｍｙ１）に位置するときに算出された第２のスピーカの位置座標候補とを比較して第２のスピーカの位置座標を特定する。スピーカが図２に示す配置になっていた場合、Ｓａ１ｆ（Ｐｌｘ１ｆ，Ｐｌｙ１ｆ）＝Ｓａ２ｆ（Ｐｌｘ２ｆ，Ｐｌｙ２ｆ）となる。したがって、マイクセット６０の位置を移動させて２カ所で測定を行った結果、一致した座標をそのスピーカの位置座標と特定することができる。基本的には、マイクセット６０を位置変更してリスニング環境内において少なくとも２カ所で同様の測定を行えば、１つのスピーカの位置座標が特定可能である。
【００７５】
実際は、スピーカの指向特性やスピーカ近傍の反射壁面の存在、環境雑音などの要因により、算出されたスピーカ位置座標には多少の誤差を含むが、制御部７は、誤差も含めてＳａ１ｆ（Ｐｌｘ１ｆ，Ｐｌｙ１ｆ）とＳａ２ｆ（Ｐｌｘ２ｆ，Ｐｌｙ２ｆ）とが“十分近い値”であることを確認し、なおかつＳａ１ｂ（Ｐｌｘ１ｂ，Ｐｌｙ１ｂ）とＳａ２ｂ（Ｐｌｘ２ｂ，Ｐｌｙ２ｂ）とが“十分近くない”ことを確認すれば、第２のスピーカの位置を決定する。この閾値は、オーディオセット１を使用するリスニング環境、またリスニング環境に応じて要求される精度等により選択可能である。
【００７６】
また、１つのスピーカの位置座標を特定する処理で、マイクセット６０を１の位置（図１１）から２の位置（図１２）へ移動するとき、スピーカ５１，５２，５３，５４，５５で囲まれるリスニング環境内であれば、その移動先は任意の位置でよいが、例えば、移動後のマイクセット６０の位置と最初の位置との差が大きいことが好ましい。また、移動後のマイクセット６０の位置と最初の位置とがマイクロフォン６ａ、６ｂを結ぶ線上にないことが好ましい。
【００７７】
この例を図１３に示す。マイクセット６０の位置を座標Ｓｍ１（Ｐｍｘ１，Ｐｍｙ１）に位置するマイクセット６０で集音された音声信号から第２のスピーカ位置座標候補を算出した後、マイクロフォン６ａ、６ｂを結ぶ軸に沿って移動してしまうと、例えば、図１３に示すように、移動後のマイクセット６０の位置がマイクロフォン６ａ、６ｂを結ぶ軸上のＳｍ３（Ｐｍｘ３，Ｐｍｙ３）であったとき、マイクセット６０が座標Ｓｍ１（Ｐｍｘ１，Ｐｍｙ１）に位置するときに算出された第２のスピーカの位置座標候補Ｓａ１ｆ（Ｐｌｘ１ｆ，Ｐｌｙ１ｆ）及びＳａ１ｂ（Ｐｌｘ１ｂ，Ｐｌｙ１ｂ）と、座標Ｓｍ３（Ｐｍｘ３，Ｐｍｙ３）に位置するときに算出された第２のスピーカの位置座標候補Ｓａ３ｆ（Ｐｌｘ３ｆ，Ｐｌｙ３ｆ）及びＳａ３ｂ（Ｐｌｘ３ｂ，Ｐｌｙ３ｂ）とが正方向、負方向ともに同一値になるため、特定できない。また、移動後のマイクセット６０の位置と最初の位置との差が小さいときに、算出されるスピーカ位置座標候補が誤差範囲に含まれてしまうような場合にも有効でない。
【００７８】
但し、スピーカ位置精度を向上する目的でリスニング環境内の２カ所以上の複数箇所で音響距離測定をする場合には、冗長なデータとして破棄できるため、移動後のマイクセット６０の位置と最初の位置との差が小さい場合、及びマイクセット６０が２つのマイクロフォンを結ぶ軸に沿って移動する場合が含まれてもよい。
【００７９】
第１の方法では、上述のように順番にスピーカ位置座標を決定することができる。各スピーカの位置を算出する順番は、スピーカ毎に逐一座標決定の処理を実行してもよいし、一括して決定してもよい。マイクセット６０をリスニング環境内のはじめの位置（１の位置）に設置して、全スピーカに対して１の位置に対するスピーカの位置座標候補を求めた後、ユーザにマイクセット６０の位置を移動するよう提示し、マイクセット６０を２の位置に移動した後、同様に全スピーカに対して２の位置に対するスピーカの位置座標候補を求め、最終的に１の位置におけるスピーカ位置座標候補と２の位置におけるスピーカ位置座標候補を比較して各スピーカの位置座標を特定してもよい。なお、第２のスピーカが図２に示すフロント左チャンネル（ＦＬ）用のスピーカ５２かどうかは、全スピーカの位置座標を算出した後で全スピーカの位置関係から対応付けしてもよいし、センタースピーカ５１の次にフロント左チャンネルスピーカ５２のみから出力して位置座標決定処理を行い、続いてフロント右チャンネルスピーカ５３のみから出力して位置座標決定処理を行い、というように位置座標を決定する対象となるスピーカがオーディオセット１によって指定され、その指定されたスピーカ毎に位置座標算出が行われてもよい。
【００８０】
次に、リスニング環境におけるスピーカ位置を特定する第２の方法について、図１４及び図１５を用いて説明する。第１の方法では、センタースピーカ５１がマイクセット６０のおおよそ正方向に配置され、マイクセット６０の軸方向に移動させて測定した場合について説明したが、マイクセット６０を構成するマイクロフォン６ａ、６ｂとセンタースピーカ５１の中心との距離がおおよそ等しくなるように配置するという条件下でリスニング環境内の複数箇所において音響距離測定を行うことによってもスピーカ位置を特定することが可能である。すなわち、図１４及び図１５に示すように、１の位置（図１４  Ｓｍ４）に対する２の位置（図１５  Ｓｍ５）が、センタースピーカ５１の音響中心とマイクロフォン６ａとの距離及びセンタースピーカ５１の音響中心とマイクロフォン６ｂとの距離を半径とする円周上にある。
【００８１】
第１の具体例と同様、マイクセット６０に対して、センターチャンネル（Ｃ）を出力する図２に示したセンタースピーカ５１が設置された方向を前方向（正方向）とし、センタースピーカ５１の位置座標をリスニング環境内における原点座標Ｓ０（０，０）とする。このとき、はじめに任意の位置に配置されたマイクセット６０の位置座標は、センタースピーカ５１を基準として一意に求めることができる。
【００８２】
スピーカ位置算出部３３３は、制御部７からの指示に応じて複数のスピーカのうち、センタースピーカ５１に対して距離算出部２０９で算出されたマイクロフォン−スピーカ間距離の絶対値を求める。このときスピーカ位置算出部３３３は、マイクセット６０の位置座標を、センタースピーカ５１を原点とした正方向座標として算出する。このとき、図１４に示すように、センタースピーカ５１、すなわち座標原点に対するマイクセット６０の中心位置の座標Ｓｍ４（Ｒｍｘ１，Ｒｍｙ１）が算出される。
【００８３】
続いて、制御部７は、リスニング環境内においてマイクセット６０に対する第２のスピーカの位置候補を、センタースピーカ５１を原点とする座標系で算出する。測定部３３１及びスピーカ位置算出部３３３は、複数スピーカのうち第２のスピーカから出力される音声信号をリスニング環境内における座標Ｓｍ４（Ｒｍｘ１，Ｒｍｙ１）に位置するマイクセット６０で集音された音声信号から第２のスピーカ位置座標候補を算出する。このとき、第２のスピーカの位置座標候補として、座標Ｓａ４ｆ（Ｒｌｘ１ｆ，Ｒｌｙ１ｆ）、Ｓａ４ｂ（Ｒｌｘ１ｂ，Ｒｌｙ１ｂ）が算出される。
【００８４】
続いて、オーディオセット１は、センタースピーカ５１の音響中心とマイクロフォン６ａとの距離及びセンタースピーカ５１中心とマイクロフォン６ｂとの距離を半径とする円周上であって、最初に配置された任意位置とは異なる位置にマイクセット６０を移動するようユーザに提示する。つまり、マイクセット６０の正方向にセンタースピーカ５１の音響中心がくるように移動させる。このとき、より厳密にこの円周上の点に配置できるように距離算出部２０９によりセンタースピーカ５１との距離を算出して最適な位置に移動できているかをユーザに提示してもよい。ただし、後述するように、このセンタースピーカ５１とマイクロフォン６ａ、６ｂとの距離は厳密に設定する必要はなく、実用上ラフに設定してよい。
【００８５】
移動された後のマイクセット６０の位置座標は、上述の場合と同様にセンタースピーカ５１を基準として一意に求められる。すなわち、スピーカ位置算出部３３３は、制御部７からの指示に応じてセンタースピーカ５１に対して距離算出部２０９で算出されたマイクロフォン−スピーカ間距離の絶対値を求める。このときスピーカ位置算出部３３３は、マイクセット６０の位置座標を、センタースピーカ５１を原点とした正方向座標として算出する。このとき、図１５に示すように、センタースピーカ５１、すなわち座標原点に対するマイクセット６０の中心位置の座標Ｓｍ５（Ｒｍｘ２，Ｒｍｙ２）が算出される。
【００８６】
制御部７は、リスニング環境内においてマイクセット６０に対する第２のスピーカの位置候補を、センタースピーカ５１を原点とする座標系で算出する。測定部３３１及びスピーカ位置算出部３３３は、複数スピーカのうち第２のスピーカから出力される音声信号をリスニング環境内における座標Ｓｍ５（Ｒｍｘ２，Ｒｍｙ２）に位置するマイクセット６０で集音された音声信号から第２のスピーカ位置座標候補を算出する。このとき、第２のスピーカの位置座標候補として、座標Ｓａ５ｆ（Ｒｌｘ２ｆ，Ｒｌｙ２ｆ）、Ｓａ５ｂ（Ｒｌｘ２ｂ，Ｒｌｙ２ｂ）が算出される。
【００８７】
そして、制御部７は、マイクセット６０の中心座標Ｓｍ５（Ｒｍｘ２，Ｒｍｙ２）に位置するときに算出された第２のスピーカの位置座標候補とセンタースピーカ５１との距離と、中心座標Ｓｍ４（Ｒｍｘ１，Ｒｍｙ１）に位置するときに算出された第２のスピーカの位置座標候補とセンタースピーカ５１との距離を比較して第２のスピーカの位置座標を特定する。スピーカが図２に示す配置になっていた場合、（Ｓ０とＳａ４ｆとの距離）＝（Ｓ０とＳａ５ｆとの距離）となる。このとき、Ｓ０とＳａ４ｂとの距離とＳ０とＳａ５ｂとの距離は、大きく異なる。
【００８８】
したがって、マイクセット６０の位置をセンタースピーカ５１中心とマイクロフォン６ａとの距離及びセンタースピーカ５１中心とマイクロフォン６ｂとの距離を半径とする円周上で移動させて少なくとも２カ所で測定を行い、一致した座標をそのスピーカの位置座標と特定できる。第２の方法は、オーディオセット１のように、スピーカ数が多数に及ぶほど、マイクセット６０の位置に対する該当候補のマッチングがとりやすくなり、最終的なスピーカの位置決定が容易になる。
【００８９】
ところで、この第２の具体例では、説明を容易にするため、センタースピーカ５１とマイクロフォン６ａ、６ｂとの距離を一定に保ってマイクセット６０を回転移動させたが、スピーカについて算出される２つの位置座標候補は、マイクロフォン６ａ、６ｂを結ぶ軸を中心とした線対称の位置となるので、この第２の具体例の変形例として、センタースピーカ５１とマイクロフォン６ａ、６ｂとの距離は、移動前と移動後とで異なってもよいことになる。第２の具体例の変形例は、センタースピーカ５１の音響中心とマイクセット６０（マイクロフォン６ａ、６ｂを結ぶ軸）との距離が１の位置と異なる位置を２の位置とする例である。
【００９０】
図１６に、移動前と移動後とで、センタースピーカ５１とマイクロフォン６ａ、６ｂとの距離が異なる具体例を示す。センタースピーカ５１、すなわち座標原点に対するマイクセット６０の中心位置の座標Ｓｍ４（Ｒｍｘ１，Ｒｍｙ１）が算出されることは、図１４を用いて説明した通りである。これに対しマイクセット６０を、マイクセット６０の中心位置が、座標原点Ｓ０と座標Ｓｍ４延長上になるように移動したとする。
【００９１】
移動された後のマイクセット６０の位置座標は、上述の場合と同様にセンタースピーカ５１を基準として一意に求められ、このとき、マイクセット６０の中心位置の座標Ｓｍ６（Ｒｍｘ３，Ｒｍｙ３）が算出される。制御部７は、座標Ｓｍ６（Ｒｍｘ３，Ｒｍｙ３）に位置するマイクセット６０で集音された音声信号から第２のスピーカ位置座標候補を算出する。このとき、第２のスピーカの位置座標候補として、座標Ｓａ６ｆ（Ｒｌｘ３ｆ，Ｒｌｙ３ｆ）、Ｓａ６ｂ（Ｒｌｘ３ｂ，Ｒｌｙ３ｂ）が算出される。制御部７は、Ｓｍ６（Ｒｍｘ２，Ｒｍｙ２）に位置するときに算出された第２のスピーカの位置座標候補とセンタースピーカ５１との距離と、中心座標Ｓｍ４（Ｒｍｘ１，Ｒｍｙ１）に位置するときに算出された第２のスピーカの位置座標候補とセンタースピーカ５１との距離を比較することで、第２のスピーカの位置座標を特定することができる。
【００９２】
一方、第２の具体例の変形例では、１の位置（図１４  Ｓｍ４）、２の位置（図１６  Ｓｍ６）において、センタースピーカ５１の音響中心とマイクロフォン６ａ、６ｂを結んだ軸との位置関係が、正対していればよく、２の位置が原点座標と座標Ｓｍ４を結ぶ線の延長上になくてもよい。
【００９３】
すなわち、図１６に示すように、マイクセット６０の移動後の位置がＳｍ７であったとする。このとき、移動後のマイクセット６０の位置座標は、上述の場合と同様にセンタースピーカ５１を基準として一意に求められ、Ｓｍ７（Ｒｍｘ４，Ｒｍｙ４）が算出される。制御部７は、座標Ｓｍ７（Ｒｍｘ４，Ｒｍｙ４）に位置するマイクセット６０で集音された音声信号から第２のスピーカ位置座標候補を算出する。このとき、第２のスピーカの位置座標候補として、座標Ｓａ７ｆ（Ｒｌｘ４ｆ，Ｒｌｙ４ｆ）、Ｓａ７ｂ（Ｒｌｘ４ｂ，Ｒｌｙ４ｂ）が算出される。制御部７は、Ｓｍ７（Ｒｍｘ３，Ｒｍｙ３）に位置するときに算出された第２のスピーカの位置座標候補とセンタースピーカ５１との距離と、中心座標Ｓｍ４（Ｒｍｘ１，Ｒｍｙ１）に位置するときに算出された第２のスピーカの位置座標候補とセンタースピーカ５１との距離を比較することで、第２のスピーカの位置座標を特定することができる。
【００９４】
次に、リスニング環境におけるスピーカ位置を特定する第３の方法について説明する。図１１に示すように、センタースピーカ５１、すなわち座標原点に対するマイクセット６０の中心位置の座標Ｓｍ１（Ｐｍｘ１，Ｐｍｙ１）が算出されることは上述の第１の具体例に示した通りである。これに対し、マイクセット６０の中心位置は座標Ｓｍ１（Ｐｍｘ１，Ｐｍｙ１）のままとし、マイクセット６０を所定角度（例えば３０°）回転させる。この状態で第２のスピーカの位置座標候補を算出すると一方の位置座標Ｓａ１ｆ（Ｐｌｘ１ｆ，Ｐｌｙ１ｆ）は変化せず、他方の位置座標Ｓａ１ｂ（Ｐｌｘ１ｂ，Ｐｌｙ１ｂ）は大きく変化する。この変化しない位置座標Ｓａ１ｆ（Ｐｌｘ１ｆ，Ｐｌｙ１ｆ）を第２のスピーカの位置座標として選択するようにすればよい。
【００９５】
図１７に、マイクセット６０を移動前と同じ位置で所定角度回転させて２の位置とし、第２のスピーカの位置座標候補を算出する場合について示す。例えば、上述のように３０°回転させたとき、制御部７は、回転後のマイクセット６０位置で第２のスピーカの位置座標候補として、座標Ｓａ８ｆ（Ｒｌｘ５ｆ，Ｒｌｙ５ｆ）、Ｓａ８ｂ（Ｒｌｘ５ｂ，Ｒｌｙ５ｂ）を算出する。制御部７は、位置座標Ｓａ１ｆ、Ｓａ１ｂ、Ｓａ８ｆ、Ｓａ８ｂを比較し、何れかの座標のうち一致する座標があれば、これを第２のスピーカの位置座標として特定する。
【００９６】
この第３の具体例の変形例として、マイクセット６０の回転中心を、マイクロフォン６ａまたは６ｂの位置として所定角度回転させてもよい。また、同様に、その回転中心を、マイクロフォン６ａ、６ｂを結ぶ軸上のいずれの点でもよく、更にはこの軸上にない点としてもよいことも明らかである。
【００９７】
なお、上述の第１の具体例、第２の具体例及び第３の具体例では、座標軸中心を暫定的にセンタースピーカ５１に決めたが、スピーカの位置座標を特定する一連の処理中、固定されていればよく、何れのスピーカを座標軸中心としてもよい。また、リスニング環境を含む任意の空間内のどこに座標原点をとってもよい。
【００９８】
また、上述の第１の具体例では、マイクセット６０の正方向または軸方向の向きを固定したまま移動（平行移動）させ、第２の具体例では、マイクセット６０と基準とするスピーカ（センタースピーカ５１）との距離を保ちマイクセット６０の正方向をそのスピーカに向けたまま移動（回転移動）させ、第３の具体例では、マイクセット６０をその位置で回転させたが、これらを組み合わせた移動形態でも測定できることは明らかである。つまり、図１１の状態から図１３の状態のように、マイクセット６０をその軸方向に沿って移動させるという特異な場合を除いてほとんど自由に移動させても測定できる。まとめれば、マイクセット６０の移動前、移動後において、マイクロフォン６ａ、６ｂを結ぶ軸が同一線上に並ばないという条件のもと、マイクロフォン６ａ、６ｂの少なくとも一方が移動することで本発明の配置位置の測定方法は実現できる。
【００９９】
以上説明したように、本発明の具体例として示す音場測定装置を装備したオーディオセット１によれば、２つのマイクデバイスをもつマイクセットにおいて、オーディオセットを構成する各スピーカの設置位置を決定できる。リスニング環境におけるスピーカの設置位置及び互いの位置関係が明らかになると、ユーザによるスピーカ設置のミスを指摘できるほか、仮想音像を再現するときの実音源のパラメータを厳密に設定することができ、より臨場感のある音場を生成することができる。
【０１００】
上述した２つの例では、各スピーカが同一平面上に配置されている場合を仮定したものであるが、３次元空間に立体的に配置されている場合も同様の手法によってスピーカの位置座標を特定することができる。３次元空間内では、マイクロフォン６ａ，マイクロフォン６ｂから特定スピーカへの距離Ｌ０、Ｌ１に該当する座標は、図１８に示すように、マイクロフォン６ａ，マイクロフォン６ｂを頂点とし距離Ｌ０、Ｌ１を斜辺とする円錐の底面円周上に分布している。円錐底面の中心は、マイクロフォン６ａ、６ｂを結ぶ軸上延長線上にある。
【０１０１】
スピーカの位置座標候補は円状になるが、リスニング環境内のランダムな位置にマイクセット６０を設置して上述した音響距離測定を続けることにより、その候補円同士の交点から各スピーカの３次元的位置を推定することができる。図１９に、候補円同士が重複する様子を示す。円Ｃａは、マイクセット６０の測定位置ＳＡにおけるスピーカの位置座標候補を示し、円Ｃｂは、マイクセット６０の測定位置ＳＢにおけるスピーカの位置座標候補を示し、円Ｃｃは、マイクセット６０の測定位置ＳＣにおけるスピーカの位置座標候補を示している。これらの候補のなかからもっとも近い位置座標をそのスピーカの位置座標として選択する。
【０１０２】
以上説明したように、リスニング環境内におけるマイクセット６０の位置毎にスピーカ位置座標を算出し、これらを比較することによってマルチチャンネル方式に対応したスピーカシステムの各スピーカ位置を決定することができることがわかった。ところで、本具体例に示すオーディオセット１のようなマルチチャンネルオーディオシステムでは、リスニング環境内におけるタイムアライメント調整が重要であり、リスニング環境における各スピーカ位置座標が明確になっていれば、タイムアラインメント調整が精度よく行える。但し、タイムアラインメント補正は、リスニング環境内におけるある１点においてその位置と各スピーカとの距離に応じて音場生成パラメータを補正するものであり、数カ所においてこれらを全て満足するようにタイムアライメントを一致させることは原理上不可能である。したがって、ユーザが測定した位置のどこか１点をタイムアライメント調整位置とする。この１カ所は、通常、リスニング環境内においてユーザが最も使用する聴取位置とすることが好ましい。
【０１０３】
以下では、リスニング環境内からタイムアライメント調整に最適な位置の決定方法の一例について説明する。上述したインパルス応答による音響距離測定等によりマイクセット６０と各スピーカとの距離、座標を含めた位置関係は、完全に把握できていることを前提とする。
【０１０４】
オーディオセット１では、ユーザは、通常、マルチチャンネルに対応した各スピーカ５１，５２，５３，５４，５５で囲まれる空間内側の中心部分に近い場所で聴取することが自然である。そのため、スピーカで囲まれる空間内側にマイクセット６０を設置し、各スピーカからマイクロフォン６０までの距離のバラツキを分散又は標準偏差として計算し、距離のバラツキが一番小さくなる位置をタイムアラインメント調整位置として好適な場所として決定し、ここで決定された好適位置に対して各スピーカからのタイムアライメントを調整する。
【０１０５】
マイクセット６０の位置を適宜変更しながらタイムアラインメント調整位置を探索する処理を図２０及び図２１に示す。図２０及び図２１において、スピーカ５２とマイクセット６０との距離をＲ０とし、スピーカ５１とマイクセット６０との距離をＲ１とし、スピーカ５３とマイクセット６０との距離をＲ２とし、スピーカ５５とマイクセット６０との距離をＲ３とし、スピーカ５４とマイクセット６０との距離をＲ４とする。
【０１０６】
例えば、図２０と図２１とでは、図２０の設置位置の方が各スピーカとの距離のバラツキが少なくタイムアライメント設定に好適な位置と判断される。すなわち、何れのスピーカからも略等距離にある位置である。オーディオセット１における制御部７は、測定部３３１を制御してスピーカ毎にその位置における距離を測定し、距離のバラツキを計算する。制御部７は、ユーザに対して、現在のマイクセット６０位置（すなわち測定位置）が最適が否かを提示する。距離のバラツキを数値化又は記号化することによりユーザに分かり易く提示してもよい。
【０１０７】
また、最適なタイムアラインメント調整位置を決定するための別の例として、既にスピーカの相対的な位置関係が判明しているため、オーディオセット１におけるスピーカ配置を多角形としたときの中心位置をタイムアライメントの基準位置として決定する手法がある。例えば、オーディオセット１のスピーカの位置座標を特定する処理によって、５チャンネルのスピーカシステムが図２２に示すように存在することが判明したときには、このスピーカ位置を規定の順番で結んでできる多角形の重心を求め、タイムアラインメントの基準位置とする。
【０１０８】
多角形の重心には、幾何的重心と物理的重心があるが、本具体例では一例として物理的重心ｇによって好適位置を求める。図２３に、特定されたスピーカ位置座標を結んでできる多角形の重心を算出する方法を示す。物理的重心ｇを算出する場合に習って、慣性質量ｍｉをマルチチャンネルにおける各チャンネルの重み付けとし、質点の位置ベクトルｇｉをスピーカの位置ベクトルとして下式（１）により計算する。
【０１０９】
【数１】
2007028437.tif 000003
【０１１０】
ここで算出された物理的重心位置をタイムアライメント好適の位置とし音場合成パラメータを設定することにより、ユーザにとって臨場感のある聴取環境を生成することができる。なお、タイムアラインメント調整位置は、上述した２例をはじめとする方法で決定してもよいが、例えばユーザが聴取する場所でタイムアラインメントが調整できるようになっていてもよい。また、タイムアラインメント調整位置は、ユーザによって直接入力できるようになっていてもよい。
【０１１１】
このように、本発明に係る音場測定装置を搭載したオーディオセット１によれば、タイムアライメントを調整すべき最適位置を特定することができる。また、以上説明したように特定されたスピーカ位置とタイムアラインメント調整位置から生成された音声信号が各スピーカから発声されることでつくられる音場は、しかるべき聴取位置における臨場感が増し、現実性が向上する。
【０１１２】
以上説明したように、オーディオセット１は、複数の異なる位置にマイクセット６０を設置して測定を繰り返すことにより、２つのマイクロフォンでは通常特定できないスピーカ位置を特定することができ、更にスピーカ位置算出部３３３において算出されたスピーカ位置に応じて各チャンネルのオーディオ信号に対して最適な信号処理を施すとき、音声信号に対してより厳密な補正を行うことが可能になる。このようにして補正された音声信号によってリスニング環境内につくられる音場は、聴取者にとって、しかるべき聴取位置における臨場感が増し、現実性が向上する。
【０１１３】
なお、上述した音場測定装置が適用されるオーディオセットとしては、オーディオ再生だけではなくビデオ再生も可能なＡＶ（Audio video）システムであってもよい。この場合、オーディオセットは、映像データを表示する表示手段として液晶表示装置（ＬＣＤ：Liquid Crystal Display）等、また映像コンテンツのデータを再生可能な構成を備える。
【０１１４】
更にまた、上述した説明では、補正情報がスピーカから聴取位置までの伝搬遅延時間であるとして説明し、また音場補正がタイムアライメント（信号遅延時間調整）の調整である例について説明したが、本発明に基づいた対象補正位置に対する音場補正としては、タイムアライメント以外に、例えば、図３のゲイン調整部３２３における音量補正等であってもよい。つまり、各スピーカから聴取点までの距離に応じた音圧レベルの減衰を補償するような音量補正を施してもよい。また、これら複数の補正要素を組み合わせて使用することもできる。
【図面の簡単な説明】
【０１１５】
【図１】本発明に係る音場測定装置を適用したオーディオセットを説明する構成図である。
【図２】上記オーディオセットにおけるスピーカ及びマイクロフォンの配置を説明する概略図である。
【図３】上記オーディオセットにおける音場補正／測定機能部を説明する構成図である。
【図４】上記音場補正／測定機能部の測定処理ブロックにおいて測定音信号のインパルス応答を入力してスピーカとマイクロフォン（聴取位置）との距離を測定するための処理を説明する機能ブロック図である。
【図５】（ａ）は、インパルス応答の原波形を示す波形図であり、（ｂ）は（ａ）に示されたインパルス応答原波形の立ち上がり位置を横軸方向に拡大して示す波形図である。
【図６】（ａ）は、正／負の両極の振幅値を有するインパルス応答の波形データを自乗した波形図であり、（ｂ）は、（ａ）に示すインパルス応答原波形の立ち上がり位置を横軸方向に拡大して示す波形図である。
【図７】インパルス応答原波形の周波数特性を示す周波数特性図である。
【図８】上記音場補正／測定機能部の測定処理ブロックにおいて可変ローパスフィルタを通過した信号波形を示す波形図である。
【図９】マイクロフォンと音源であるスピーカとの間の距離と位置関係を説明する概略図である。
【図１０】マイクロフォンと音源であるスピーカとの間の距離と位置関係を説明する概略図である。
【図１１】座標Ｓｍ１（Ｐｍｘ１，Ｐｍｙ１）に位置するマイクセットで集音された音声信号から算出される第２のスピーカ位置座標候補を説明する概念図である。
【図１２】座標Ｓｍ２（Ｐｍｘ２，Ｐｍｙ２）に位置するマイクセットで集音された音声信号から算出される第２のスピーカ位置座標候補を説明する概念図である。
【図１３】座標Ｓｍ３（Ｐｍｘ３，Ｐｍｙ３）に位置するマイクセットで集音された音声信号から算出される第２のスピーカ位置座標候補を説明する概念図である。
【図１４】座標Ｓｍ４（Ｒｍｘ１，Ｒｍｙ１）に位置するマイクセットで集音された音声信号から算出される第２のスピーカ位置座標候補を説明する概念図である。
【図１５】座標Ｓｍ５（Ｒｍｘ２，Ｒｍｙ２）に位置するマイクセットで集音された音声信号から算出される第２のスピーカ位置座標候補を説明する概念図である。
【図１６】移動前と移動後とでセンタースピーカと２つのマイクロフォンとの距離が異なる具体例を説明する概念図である。
【図１７】マイクセットを移動前と同じ位置で所定角度回転させて２の位置として第２のスピーカの位置座標候補を算出する場合について説明する概念図である。
【図１８】３次元空間においてマイクセット６０で集音された音声信号から算出される第２のスピーカの位置座標候補を説明する概略図である。
【図１９】３次元空間の任意の位置にマイクセット６０を移動させて集音された音声信号から算出される第２のスピーカの位置座標候補を説明する概略図である。
【図２０】マイクロフォンと音源であるスピーカとの間の距離と位置関係を説明する概略図である。
【図２１】マイクロフォンと音源であるスピーカとの間の距離と位置関係を説明する概略図である。
【図２２】マイクロフォンと音源であるスピーカとの間の距離と位置関係を説明する概略図である。
【図２３】マイクロフォンと音源であるスピーカとの間の距離と位置関係を説明する概略図である。
【符号の説明】
【０１１６】
１    オーディオセット、  ２    メディア再生部、  ３    音場補正ユニット、  ４    パワーアンプ部、  ５１，５２，５３，５４，５５    スピーカ、  ６ａ，６ｂ    マイクロフォン、  ７    制御部、  ８    メモリ部、  ９    ユーザインターフェイス部、  ３１    音場補正／測定機能部、  ３２    音場補正処理ブロック、  ３３    測定処理ブロック、  ３４ａ，３４ｂ    マイクロフォンアンプ、  ３５    スイッチ、  ３３１ａ，３３１ｂ    測定部、  ３３２    測定音処理部、  ３３３    スピーカ位置算出部、  ３２１    ディレイ処理部、  ３２２    イコライザ部、  ３２３    ゲイン調整部
【図１】
2007028437.tif 000004
【図２】
2007028437.tif 000005
【図３】
2007028437.tif 000006
【図４】
2007028437.tif 000007
【図５】
2007028437.tif 000008
【図６】
2007028437.tif 000009
【図７】
2007028437.tif 000010
【図８】
2007028437.tif 000011
【図９】
2007028437.tif 000012
【図１０】
2007028437.tif 000013
【図１１】
2007028437.tif 000014
【図１２】
2007028437.tif 000015
【図１３】
2007028437.tif 000016
【図１４】
2007028437.tif 000017
【図１５】
2007028437.tif 000018
【図１６】
2007028437.tif 000019
【図１７】
2007028437.tif 000020
【図１８】
2007028437.tif 000021
【図１９】
2007028437.tif 000022
【図２０】
2007028437.tif 000023
【図２１】
2007028437.tif 000024
【図２２】
2007028437.tif 000025
【図２３】
2007028437.tif 000026
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
所定間隔をあけて配設される第１、第２のマイクロフォンで構成され、第１、第２のスピーカから出力される音声信号を集音するマイクロフォンセットと、
上記第１、第２のマイクロフォンで集音された音声信号に基づいて上記第１、第２のスピーカと上記第１、第２のマイクロフォンとのそれぞれの距離を測定する測定部と、
測定された上記それぞれの距離に基づいて上記第１のスピーカを基準位置とする上記第１、第２のマイクロフォンの位置及び上記第２のスピーカの位置を算出する位置算出部とを備えることを特徴とする音場測定装置。
【請求項２】
上記測定部は、
上記集音された音声信号からスピーカ−マイクロフォン間のインパルス応答を求める演算部と、
上記インパルス応答の先頭から立ち上がり部までの遅延時間を求める検出部と、
求められた上記遅延時間から上記スピーカ−マイクロフォン間の距離を算出する算出部と
を備えることを特徴とする請求項１記載の音場測定装置。
【請求項３】
上記位置算出部は、上記第１のスピーカに対して上記測定部で測定されたマイクロフォン−スピーカ間距離に基づいて、上記第１のスピーカが上記マイクロフォンセットの正方向領域に位置するとして算出するとともに、上記マイクロフォンセットに対する第２のスピーカの位置候補を上記第１のスピーカを基準位置として算出することを特徴とする請求項１記載の音場測定装置。
【請求項４】
上記位置算出部は、上記第２のスピーカから出力され、第１の配置に設置されたマイクロフォンセットで集音された音声信号から算出された上記第２のスピーカの位置候補と、上記第２のスピーカから出力され、第２の配置に設置されたマイクロフォンセットで集音された音声信号から算出された上記第２のスピーカの位置候補とを比較して上記第２のスピーカの位置を特定することを特徴とする請求項３記載の音場測定装置。
【請求項５】
上記第２の配置に設置された第１、第２のマイクロフォンは、上記第１の配置に設置された上記第１、第２のマイクロフォンを結ぶ線上にないことを特徴とする請求項４記載の音場測定装置。
【請求項６】
上記第１の配置と上記第２の配置は、上記第１のスピーカと上記第１のマイクロフォンとの距離および上記第１のスピーカと第２のマイクロフォンとの距離が略等しいことを特徴とする請求項４記載の音場測定装置。
【請求項７】
第１、第２のスピーカから出力される音声信号を、所定間隔をあけて配設される第１、第２のマイクロフォンで構成されるマイクロフォンセットで集音する集音工程と、
上記第１、第２のマイクロフォンで集音された音声信号に基づいて上記第１、第２のスピーカと上記第１、第２のマイクロフォンとのそれぞれの距離を測定する測定工程と、
測定された上記それぞれの距離に基づいて上記第１のスピーカを基準位置とする上記第１、第２のマイクロフォンの位置及び上記第２のスピーカの位置を算出する位置算出工程とを備える
ことを特徴とする音場測定方法。
【請求項８】
上記位置算出工程において、上記第１のスピーカに対して上記測定工程で測定されたマイクロフォン−スピーカ間距離に基づいて、上記第１のスピーカが上記マイクロフォンセットの正方向領域に位置するとして算出するとともに、上記マイクロフォンセットに対する第２のスピーカの位置候補を上記第１のスピーカを基準位置として算出することを特徴とする請求項７記載の音場測定方法。
【手続補正２】
【補正対象書類名】明細書
【補正対象項目名】００１５
【補正方法】変更
【補正の内容】
【００１５】
上述した目的を達成するために、本発明に係る音場測定装置は、所定間隔をあけて配設される第１、第２のマイクロフォンで構成され、第１、第２のスピーカから出力される音声信号を集音するマイクロフォンセットと、第１、第２のマイクロフォンで集音された音声信号に基づいて上記第１、第２のスピーカと上記第１、第２のマイクロフォンとのそれぞれの距離を測定する測定部と、測定された上記それぞれの距離に基づいて第１のスピーカを基準位置とする第１、第２のマイクロフォンの位置及び第２のスピーカの位置を算出する位置算出部とを備えることにより、再生環境内に配置された第１、第２のスピーカの位置を算出する。
【手続補正３】
【補正対象書類名】明細書
【補正対象項目名】００１６
【補正方法】変更
【補正の内容】
【００１６】
位置算出部は、第１のスピーカに対して測定部で測定されたマイクロフォン−スピーカ間距離に基づいて、第１のスピーカがマイクロフォンセットの正方向領域に位置するとして算出するとともに、マイクロフォンセットに対する第２のスピーカの位置候補を第１のスピーカを基準位置として算出する。
【手続補正４】
【補正対象書類名】明細書
【補正対象項目名】００１７
【補正方法】変更
【補正の内容】
【００１７】
また、位置算出部は、第２のスピーカから出力され、第１の配置に設置されたマイクロフォンセットで集音された音声信号から算出された第２のスピーカの位置候補と、第２のスピーカから出力され、第２の配置に設置されたマイクロフォンセットで集音された音声信号から算出された第２のスピーカの位置候補とを比較して第２のスピーカの位置を特定する。
【手続補正５】
【補正対象書類名】明細書
【補正対象項目名】００１８
【補正方法】変更
【補正の内容】
【００１８】
第２の配置と第１の配置とは、第１、第２のマイクロフォンを結ぶ線上にないことが重要であり、第１の配置と第２の配置は、第１のスピーカと第１のマイクロフォンとの距離および第１のスピーカと第２のマイクロフォンとの距離が略等しい配置でもよい。
【手続補正６】
【補正対象書類名】明細書
【補正対象項目名】００４１
【補正方法】変更
【補正の内容】
【００４１】
測定音を含む周囲の環境音は、マイクロフォン６ａ、６ｂによって集音されてマイクロフォンアンプ３４ａ、３４ｂで増幅され、測定処理ブロック３３の測定部３３１ａ、３３１ｂに入力される。測定部３３１ａ、３３１ｂは、入力された音声信号をＡ／Ｄ変換し、得られた信号について、スピーカからマイクロフォンまでの系のインパルス応答、ＦＦＴによる周波数解析処理等の各種信号処理を行う。これらの処理結果として、各チャンネルのスピーカからマイクロフォン６ａ、６ｂの設置位置までの距離等の情報のほか、音場生成に必要となる項目についての測定結果が得られる。
【手続補正７】
【補正対象書類名】明細書
【補正対象項目名】００４８
【補正方法】変更
【補正の内容】
【００４８】
以下、スピーカからマイクロフォンまでの系のインパルス応答を用いたスピーカとマイクロフォンとの距離の測定ついて説明する。図４は、測定処理ブロック３３の測定部３３１において、測定音処理部３３２で生成された測定音信号とマイクロフォン６ａ、６ｂからの音声信号から求められたインパルス応答を入力してスピーカとマイクロフォン（聴取位置）との距離を測定するための処理構成を示している。図４に示す構成による処理の流れについて、図５〜図８を参照して説明する。
【手続補正８】
【補正対象書類名】明細書
【補正対象項目名】００６４
【補正方法】変更
【補正の内容】
【００６４】
マイクセット６０の中心、つまりマイクロフォン６ａ、６ｂの中間点を座標原点（基準位置）としたとき、センターチャンネル（Ｃ）に対応するスピーカが設置される方向をマイクセット６０の正方向とし、座標軸の正方向とする。例えば、上述した手法によってマイクロフォン６ａ、６ｂと各スピーカとの距離Ｌ０、Ｌ１が求められたとしても、実際は図９に示すように、設置されたスピーカ位置がマイクセット６０の前方位置Ｐｆ、後方位置Ｐｂの何れに配置されているかを特定することはできない。
【手続補正９】
【補正対象書類名】明細書
【補正対象項目名】００６７
【補正方法】変更
【補正の内容】
【００６７】
また、オーディオセット１は、複数スピーカのうち、第２のスピーカから出力される音声信号をリスニング環境内における任意位置／方位（第１の配置）に設置されたマイクロフォンセットで集音された音声信号から算出された第２のスピーカの位置座標候補と、第２のスピーカから出力される音声信号をリスニング環境内において任意位置とは異なる位置／方位（第２の配置）に設置されたマイクロフォンセットで集音された音声信号から算出された第２のスピーカの位置座標候補とを比較して第２のスピーカの位置座標を特定することを特徴としている。
【手続補正１０】
【補正対象書類名】明細書
【補正対象項目名】００７０
【補正方法】変更
【補正の内容】
【００７０】
スピーカ位置算出部３３３は、制御部７からの指示に応じて複数のスピーカのうち、センタースピーカ５１に対して距離算出部２０９で算出されたマイクロフォン−スピーカ間距離の絶対値を求める。このときスピーカ位置算出部３３３は、マイクセット６０の位置座標を、センタースピーカ５１を原点とした正方向座標（正方向領域）として算出する。このとき、図１１に示すように、センタースピーカ５１、すなわち座標原点に対するマイクセット６０の中心位置の座標Ｓｍ１（Ｐｍｘ１，Ｐｍｙ１）が算出される。つまり、センタースピーカ５１とマイクロフォン６ａ、６ｂとの距離が測定されると、図９、図１０のように２ヶ所の候補点が算出されるが、マイクセット６０の正方向領域にセンタースピーカ５１があるように設置しているので、２ヶ所の候補点のうち正方向領域に存在する候補点にセンタースピーカ５１が配置されていると判断する。なお、図１１などにおける座標平面中の四角枠は、リスニング環境の範囲を示しており、例えば、部屋の壁を示している。
【手続補正１１】
【補正対象書類名】明細書
【補正対象項目名】００７６
【補正方法】変更
【補正の内容】
【００７６】
また、１つのスピーカの位置座標を特定する処理で、マイクセット６０を第１の位置（図１１）から第２の位置（図１２）へ移動するとき、スピーカ５１，５２，５３，５４，５５で囲まれるリスニング環境内であれば、その移動先は任意の位置でよいが、例えば、移動後のマイクセット６０の位置と最初の位置との差が大きいことが好ましい。また、移動後のマイクセット６０の位置と最初の位置とがマイクロフォン６ａ、６ｂを結ぶ線上にないことが好ましい。
【手続補正１２】
【補正対象書類名】明細書
【補正対象項目名】００７９
【補正方法】変更
【補正の内容】
【００７９】
第１の方法では、上述のように順番にスピーカ位置座標を決定することができる。各スピーカの位置を算出する順番は、スピーカ毎に逐一座標決定の処理を実行してもよいし、一括して決定してもよい。マイクセット６０をリスニング環境内のはじめの位置／方位（第１の配置）に設置して、全スピーカに対して第１の配置に対するスピーカの位置座標候補を求めた後、ユーザにマイクセット６０の位置を移動するよう提示し、マイクセット６０を第２の配置に移動した後、同様に全スピーカに対して第２の配置に対するスピーカの位置座標候補を求め、最終的に第１の配置におけるスピーカ位置座標候補と第２の配置におけるスピーカ位置座標候補を比較して各スピーカの位置座標を特定してもよい。なお、第２のスピーカが図２に示すフロント左チャンネル（ＦＬ）用のスピーカ５２かどうかは、全スピーカの位置座標を算出した後で全スピーカの位置関係から対応付けしてもよいし、センタースピーカ５１の次にフロント左チャンネルスピーカ５２のみから出力して位置座標決定処理を行い、続いてフロント右チャンネルスピーカ５３のみから出力して位置座標決定処理を行い、というように位置座標を決定する対象となるスピーカがオーディオセット１によって指定され、その指定されたスピーカ毎に位置座標算出が行われてもよい。
【手続補正１３】
【補正対象書類名】明細書
【補正対象項目名】００８０
【補正方法】変更
【補正の内容】
【００８０】
次に、リスニング環境におけるスピーカ位置を特定する第２の方法について、図１４及び図１５を用いて説明する。第１の方法では、センタースピーカ５１がマイクセット６０のおおよそ正方向に配置され、マイクセット６０の軸方向に移動させて測定した場合について説明したが、マイクセット６０を構成するマイクロフォン６ａ、６ｂとセンタースピーカ５１の中心との距離がおおよそ等しくなるように配置するという条件下でリスニング環境内の複数箇所において音響距離測定を行うことによってもスピーカ位置を特定することが可能である。すなわち、図１４及び図１５に示すように、第１の位置（図１４  Ｓｍ４）に対する第２の位置（図１５  Ｓｍ５）が、センタースピーカ５１の音響中心とマイクロフォン６ａとの距離及びセンタースピーカ５１の音響中心とマイクロフォン６ｂとの距離を半径とする円周上にある。
【手続補正１４】
【補正対象書類名】明細書
【補正対象項目名】００８９
【補正方法】変更
【補正の内容】
【００８９】
ところで、この第２の具体例では、説明を容易にするため、センタースピーカ５１とマイクロフォン６ａ、６ｂとの距離を一定に保ってマイクセット６０を回転移動させたが、スピーカについて算出される２つの位置座標候補は、マイクロフォン６ａ、６ｂを結ぶ軸を中心とした線対称の位置となるので、この第２の具体例の変形例として、センタースピーカ５１とマイクロフォン６ａ、６ｂとの距離は、移動前と移動後とで異なってもよいことになる。第２の具体例の変形例は、センタースピーカ５１の音響中心とマイクセット６０（マイクロフォン６ａ、６ｂを結ぶ軸）との距離が第１の位置と異なる位置を第２の位置とする例である。
【手続補正１５】
【補正対象書類名】明細書
【補正対象項目名】００９２
【補正方法】変更
【補正の内容】
【００９２】
一方、第２の具体例の変形例では、第１の位置（図１４  Ｓｍ４）、第２の位置（図１６  Ｓｍ６）において、センタースピーカ５１の音響中心とマイクロフォン６ａ、６ｂを結んだ軸との位置関係が、正対していればよく、第２の位置が原点座標と座標Ｓｍ４を結ぶ線の延長上になくてもよい。
【手続補正１６】
【補正対象書類名】明細書
【補正対象項目名】００９３
【補正方法】変更
【補正の内容】
【００９３】
すなわち、図１６に示すように、マイクセット６０の移動後の位置がＳｍ７であったとする。このとき、移動後のマイクセット６０の位置座標は、上述の場合と同様にセンタースピーカ５１を基準として一意に求められ、Ｓｍ７（Ｒｍｘ４，Ｒｍｙ４）が算出される。制御部７は、座標Ｓｍ７（Ｒｍｘ４，Ｒｍｙ４）に位置するマイクセット６０で集音された音声信号から第２のスピーカ位置座標候補を算出する。このとき、第２のスピーカの位置座標候補として、座標Ｓａ７ｆ（Ｒｌｘ４ｆ，Ｒｌｙ４ｆ）、Ｓａ７ｂ（Ｒｌｘ４ｂ，Ｒｌｙ４ｂ）が算出される。制御部７は、Ｓｍ７（Ｒｍｘ４，Ｒｍｙ４）に位置するときに算出された第２のスピーカの位置座標候補とセンタースピーカ５１との距離と、中心座標Ｓｍ４（Ｒｍｘ１，Ｒｍｙ１）に位置するときに算出された第２のスピーカの位置座標候補とセンタースピーカ５１との距離を比較することで、第２のスピーカの位置座標を特定することができる。
【手続補正１７】
【補正対象書類名】明細書
【補正対象項目名】００９５
【補正方法】変更
【補正の内容】
【００９５】
図１７に、マイクセット６０を移動前と同じ位置で所定角度回転させて第２の配置とし、第２のスピーカの位置座標候補を算出する場合について示す。例えば、上述のように３０°回転させたとき、制御部７は、回転後のマイクセット６０位置で第２のスピーカの位置座標候補として、座標Ｓａ８ｆ（Ｒｌｘ５ｆ，Ｒｌｙ５ｆ）、Ｓａ８ｂ（Ｒｌｘ５ｂ，Ｒｌｙ５ｂ）を算出する。制御部７は、位置座標Ｓａ１ｆ、Ｓａ１ｂ、Ｓａ８ｆ、Ｓａ８ｂを比較し、何れかの座標のうち一致する座標があれば、これを第２のスピーカの位置座標として特定する。
【手続補正１８】
【補正対象書類名】明細書
【補正対象項目名】０１１５
【補正方法】変更
【補正の内容】
【０１１５】
【図１】本発明に係る音場測定装置を適用したオーディオセットを説明する構成図である。
【図２】上記オーディオセットにおけるスピーカ及びマイクロフォンの配置を説明する概略図である。
【図３】上記オーディオセットにおける音場補正／測定機能部を説明する構成図である。
【図４】上記音場補正／測定機能部の測定処理ブロックにおいて測定音信号のインパルス応答を入力してスピーカとマイクロフォン（聴取位置）との距離を測定するための処理を説明する機能ブロック図である。
【図５】（ａ）は、インパルス応答の原波形を示す波形図であり、（ｂ）は（ａ）に示されたインパルス応答原波形の立ち上がり位置を横軸方向に拡大して示す波形図である。
【図６】（ａ）は、正／負の両極の振幅値を有するインパルス応答の波形データを自乗した波形図であり、（ｂ）は、（ａ）に示すインパルス応答原波形の立ち上がり位置を横軸方向に拡大して示す波形図である。
【図７】インパルス応答原波形の周波数特性を示す周波数特性図である。
【図８】上記音場補正／測定機能部の測定処理ブロックにおいて可変ローパスフィルタを通過した信号波形を示す波形図である。
【図９】マイクロフォンと音源であるスピーカとの間の距離と位置関係を説明する概略図である。
【図１０】マイクロフォンと音源であるスピーカとの間の距離と位置関係を説明する概略図である。
【図１１】座標Ｓｍ１（Ｐｍｘ１，Ｐｍｙ１）に位置するマイクセットで集音された音声信号から算出される第２のスピーカ位置座標候補を説明する概念図である。
【図１２】座標Ｓｍ２（Ｐｍｘ２，Ｐｍｙ２）に位置するマイクセットで集音された音声信号から算出される第２のスピーカ位置座標候補を説明する概念図である。
【図１３】座標Ｓｍ３（Ｐｍｘ３，Ｐｍｙ３）に位置するマイクセットで集音された音声信号から算出される第２のスピーカ位置座標候補を説明する概念図である。
【図１４】座標Ｓｍ４（Ｒｍｘ１，Ｒｍｙ１）に位置するマイクセットで集音された音声信号から算出される第２のスピーカ位置座標候補を説明する概念図である。
【図１５】座標Ｓｍ５（Ｒｍｘ２，Ｒｍｙ２）に位置するマイクセットで集音された音声信号から算出される第２のスピーカ位置座標候補を説明する概念図である。
【図１６】移動前と移動後とでセンタースピーカと２つのマイクロフォンとの距離が異なる具体例を説明する概念図である。
【図１７】マイクセットを移動前と同じ位置で所定角度回転させて第２の配置として第２のスピーカの位置座標候補算出する場合について説明する概略図である。
【図１８】３次元空間においてマイクセット６０で集音された音声信号から算出される第２のスピーカの位置座標候補を説明する概略図である。
【図１９】３次元空間の任意の位置にマイクセット６０を移動させて集音された音声信号から算出される第２のスピーカの位置座標候補を説明する概略図である。
【図２０】マイクロフォンと音源であるスピーカとの間の距離と位置関係を説明する概略図である。
【図２１】マイクロフォンと音源であるスピーカとの間の距離と位置関係を説明する概略図である。
【図２２】マイクロフォンと音源であるスピーカとの間の距離と位置関係を説明する概略図である。
【図２３】マイクロフォンと音源であるスピーカとの間の距離と位置関係を説明する概略図である。